【手続補正書】
【提出日】平成16年5月25日(2004.5.25)
【手続補正１】
【補正対象書類名】明細書
【補正対象項目名】発明の名称
【補正方法】変更
【補正の内容】
【発明の名称】周辺機器、情報処理装置、通信方法、及びデバイス制御方法
【手続補正２】
【補正対象書類名】明細書
【補正対象項目名】特許請求の範囲
【補正方法】変更
【補正の内容】
【特許請求の範囲】
【請求項１】
外部と通信可能な周辺機器であって、
上記周辺機器で発生したイベントに応じて、発生したイベントに関する情報を外部に通知する通知手段と、
上記通知手段により通知が可能なイベントの種類を示す情報を記憶する記憶手段と、
外部機器からの問い合せに応じて、上記記憶手段に記憶されている情報を当該外部機器に送信する送信手段とを有することを特徴とする周辺機器。
【請求項２】
上記送信手段により送信された情報に基づいて上記外部機器で指定されたイベントを示す情報を含むジョブデータを受信する受信手段を有することを特徴とする請求項１に記載の周辺機器。
【請求項３】
上記通知手段は、発生したイベントが、上記ジョブデータで指定されたイベントである場合、発生したイベントに関する情報を通知することを特徴とする請求項１或いは２に記載の周辺機器。
【請求項４】
発生したイベントに応じてイベントに関する情報を外部に通知する周辺機器と通信可能な情報処理装置であって、
イベントの種類を示す情報を上記周辺機器に問い合せる問い合せ手段と、
上記問い合せ手段による問い合せに応じて送信された情報に基づいて、イベントを選択する画面を表示部に表示させる表示制御手段と、
上記画面において選択されたイベントを示す情報を記憶する記憶手段を有することを特徴とする情報処理装置。
【請求項５】
外部と通信可能な周辺機器における通知方法であって、
上記周辺機器で発生したイベントに応じて、発生したイベントに関する情報を外部に通知する通知ステップと、
外部機器からの問い合せに応じて、上記通知ステップにより通知が可能なイベントの種類を示す情報を当該外部機器に送信する送信ステップとを有することを特徴とする通信方法。
【請求項６】
発生したイベントに応じてイベントに関する情報を外部に通知する周辺機器における通知方法であって、
イベントの種類を示す情報を上記周辺機器に問い合せる問い合せステップと、
上記問い合せステップによる問い合せに応じて送信された情報に基づいて、イベントを選択する画面を表示部に表示させる表示制御ステップと、
上記画面において選択されたイベントを示す情報を記憶部に記憶する記憶ステップとを有することを特徴とする通信方法。
【請求項７】
通信手段を介して外部から動作制御可能な周辺機器であって、
自機器に関する属性情報を記憶する記憶手段と、
上記記憶手段の属性情報または自機器の変化に基いたイベント通知を、上記通信手段を介して該当する外部へ発行する発行手段を備え、
上記記憶手段は、上記通信手段を介した外部からのアクセスが可能なように上記属性情報を記憶することを特徴とする周辺機器。
【請求項８】
上記通信手段を介した外部からのアクセス要求に基づいて、上記記憶手段に記憶された属性情報の提供、設定、及び変更の少なくとも何れかを実行する情報制御手段を備えることを特徴とする請求項７記載の周辺機器。
【請求項９】
上記属性情報は、自機器が有する機能情報、自機器の状態情報、自機器で処理するジョブに関する情報、及び自機器が発行可能なイベント通知に関する情報の少なくとも何れかの情報を含むことを特徴とする請求項７記載の周辺機器。
【請求項１０】
上記属性情報は、自機器が有する機能を示す属性情報として、自機器の状態及び自機器で処理するジョブの状態の少なくとも何れかの変化に基づき発行可能なイベントを示す属性、及び当該発行可能なイベントの中の任意のイベントの通知を外部から指示することが可能な属性を含み、
上記発行手段は、上記属性情報に基づいて、該当するイベント通知を発行することを特徴とする請求項７記載の周辺機器。
【請求項１１】
通信手段を介して任意のデバイスを制御可能な情報処理装置であって、
上記デバイスが保持する上記デバイスに関する属性情報へアクセスするアクセス手段と、
上記アクセス手段により得られた情報に基づいて、上記デバイスに対して制御指示する制御手段と、
上記制御手段の制御により上記デバイスから通知されたイベントを処理する処理手段とを備えることを特徴とする情報処理装置。
【請求項１２】
任意の通信媒体上に接続され、当該通信媒体を介して外部から動作制御可能なデバイスのデバイス制御方法であって、
上記デバイスが、自機器の機能、自機器の状態、自機器で処理するジョブの動作、当該ジョブの状態、及び自機器が発行可能なイベント通知の少なくとも何れかを示す属性情報を記憶する記憶ステップと、
上記記憶ステップによる記憶情報を、上記通信媒体を介して外部からアクセスするアクセスステップと、
上記デバイスが、自機器で任意のイベントが発生した場合、上記記憶ステップによる記憶情報に基づいて、当該イベント通知を該当する通知先へ発行する通知ステップとを含むことを特徴とするデバイス制御方法。
【請求項１３】
任意の通信媒体上に接続され、当該通信媒体を介して外部から動作制御可能なデバイスのデバイス制御方法であって、
上記デバイスで保持されている、上記デバイスの機能、上記デバイスの状態、上記デバイスで処理するジョブの動作、当該ジョブの状態、及び上記デバイスが発行可能なイベント通知の少なくとも何れかを示す属性情報にアクセスするアクセスステップと、
上記アクセスステップによるアクセス結果に基づいて、上記デバイスに対して動作制御コマンドを発行する制御ステップと、
上記制御ステップにより上記デバイスから発行されてきたイベント通知を処理する処理ステップとを含むことを特徴とするデバイス制御方法。
【手続補正３】
【補正対象書類名】明細書
【補正対象項目名】０００１
【補正方法】変更
【補正の内容】
【０００１】
【発明の属する技術分野】
本発明は、例えば、ネットワーク上のデバイス（プリンタ、スキャナ、複写機、ファクシミリ装置（ＦＡＸ）等の周辺機器）、及び当該デバイスから所定のイベント通知を受け取ることで当該デバイスを制御するための装置或いはシステムに用いられる、周辺機器、情報処理装置、通信方法、及びデバイス制御方法に関するものである。
【手続補正４】
【補正対象書類名】明細書
【補正対象項目名】０００４
【補正方法】変更
【補正の内容】
【０００４】
そこで、本発明は、上記の欠点を除去するために成されたもので、デバイスのモニタ機能をユーザに対して常に提供できる構成により、効率的なデバイス制御が行なえる、周辺機器（デバイス）、情報処理装置、通信方法、及びデバイス制御方法を提供することを目的とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
第５の発明は、外部と通信可能な周辺機器における通知方法であって、上記周辺機器で発生したイベントに応じて、発生したイベントに関する情報を外部に通知する通知ステップと、外部機器からの問い合せに応じて、上記通知ステップにより通知が可能なイベントの種類を示す情報を当該外部機器に送信する送信ステップとを有することを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
第６の発明は、発生したイベントに応じてイベントに関する情報を外部に通知する周辺機器における通知方法であって、イベントの種類を示す情報を上記周辺機器に問い合せる問い合せステップと、上記問い合せステップによる問い合せに応じて送信された情報に基づいて、イベントを選択する画面を表示部に表示させる表示制御ステップと、上記画面において選択されたイベントを示す情報を記憶部に記憶する記憶ステップとを有することを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
第７の発明は、通信手段を介して外部から動作制御可能な周辺機器であって、自機器に関する属性情報を記憶する記憶手段と、上記記憶手段の属性情報または自機器の変化に基いたイベント通知を、上記通信手段を介して該当する外部へ発行する発行手段を備え、上記記憶手段は、上記通信手段を介した外部からのアクセスが可能なように上記属性情報を記憶することを特徴とする。
【手続補正１２】
【補正対象書類名】明細書
【補正対象項目名】００１６
【補正方法】変更
【補正の内容】
【００１６】
第８の発明は、上記第７の発明において、上記通信手段を介した外部からのアクセス要求に基づいて、上記記憶手段に記憶された属性情報の提供、設定、及び変更の少なくとも何れかを実行する情報制御手段を備えることを特徴とする。
【手続補正１３】
【補正対象書類名】明細書
【補正対象項目名】００１７
【補正方法】変更
【補正の内容】
【００１７】
第９の発明は、上記第７の発明において、上記属性情報は、自機器が有する機能情報、自機器の状態情報、自機器で処理するジョブに関する情報、及び自機器が発行可能なイベント通知に関する情報の少なくとも何れかの情報を含むことを特徴とする。
【手続補正１４】
【補正対象書類名】明細書
【補正対象項目名】００１８
【補正方法】変更
【補正の内容】
【００１８】
第１０の発明は、上記第７の発明において、上記属性情報は、自機器が有する機能を示す属性情報として、自機器の状態及び自機器で処理するジョブの状態の少なくとも何れかの変化に基づき発行可能なイベントを示す属性、及び当該発行可能なイベントの中の任意のイベントの通知を外部から指示することが可能な属性を含み、上記発行手段は、上記属性情報に基づいて、該当するイベント通知を発行することを特徴とする。
【手続補正１５】
【補正対象書類名】明細書
【補正対象項目名】００１９
【補正方法】変更
【補正の内容】
【００１９】
第１１の発明は、通信手段を介して任意のデバイスを制御可能な情報処理装置であって、上記デバイスが保持する上記デバイスに関する属性情報へアクセスするアクセス手段と、上記アクセス手段により得られた情報に基づいて、上記デバイスに対して制御指示する制御手段と、上記制御手段の制御により上記デバイスから通知されたイベントを処理する処理手段とを備えることを特徴とする。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】変更
【補正の内容】
【００２５】
第１２の発明は、任意の通信媒体上に接続され、当該通信媒体を介して外部から動作制御可能なデバイスのデバイス制御方法であって、上記デバイスが、自機器の機能、自機器の状態、自機器で処理するジョブの動作、当該ジョブの状態、及び自機器が発行可能なイベント通知の少なくとも何れかを示す属性情報を記憶する記憶ステップと、上記記憶ステップによる記憶情報を、上記通信媒体を介して外部からアクセスするアクセスステップと、上記デバイスが、自機器で任意のイベントが発生した場合、上記記憶ステップによる記憶情報に基づいて、当該イベント通知を該当する通知先へ発行する通知ステップとを含むことを特徴とする。
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
第１３の発明は、任意の通信媒体上に接続され、当該通信媒体を介して外部から動作制御可能なデバイスのデバイス制御方法であって、上記デバイスで保持されている、上記デバイスの機能、上記デバイスの状態、上記デバイスで処理するジョブの動作、当該ジョブの状態、及び上記デバイスが発行可能なイベント通知の少なくとも何れかを示す属性情報にアクセスするアクセスステップと、上記アクセスステップによるアクセス結果に基づいて、上記デバイスに対して動作制御コマンドを発行する制御ステップと、上記制御ステップにより上記デバイスから発行されてきたイベント通知を処理する処理ステップとを含むことを特徴とする。
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】